(57)【要約】【課題】オーディオデータを複数のスピーカー装置に供給する場合に、より簡易に相互間を接続することができる技術を提供する。【解決手段】音声信号を電力信号に重畳させて重畳信号を発生するインターフェイス部と、この重畳信号を一本のケーブルに乗せてスピーカー装置へ導く音声出力端子とを備えたマルチスピーカー制御装置。また、音声信号が電力信号に重畳した重畳信号を入出力するインターフェイス部と、この音声信号を増幅するアンプと、該増幅された音声信号を出力するスピーカーとを備えたスピーカー装置。【選択図】  図３
2014082721.tif 000002
【特許請求の範囲】
【請求項１】
音声信号を電力信号に重畳させて重畳信号を発生するインターフェイス部と、
この重畳信号を一本のケーブルに乗せてスピーカー装置へ導く音声出力端子とを
備えたマルチスピーカー制御装置。
【請求項２】
音声信号が電力信号に重畳した重畳信号を入出力するインターフェイス部と、
この音声信号を増幅するアンプと、
該増幅された音声信号を出力するスピーカーとを
備えたスピーカー装置。
【請求項３】
請求項１に記載のマルチスピーカー制御装置に請求項２に記載のスピーカー装置を縦続接続させて成るマルチスピーカーシステム。
【請求項４】
前記縦続接続の終端を請求項１に記載のマルチスピーカー制御装置に戻して前記縦続接続の数を伝送し、この数に合わせて、音響の設定を変化する請求項３に記載のマルチスピーカーシステム。
【発明の詳細な説明】
【技術分野】
【０００１】
本発明の実施形態は、マルチスピーカー制御装置、スピーカー装置およびマルチスピーカーシステムに関する。
【背景技術】
【０００２】
相互間を簡易に接続することができるマルチチャンネル再生装置あるいはマルチチャンネル再生用スピーカー装置なるものが提案されている（例えば、特許文献１参照。）。
【０００３】
解決手段としてオーディオデータを入力し、入力した音声データを信号処理回路により処理すると共に処理した信号を分散配置した複数のスピーカー装置に供給して音声出力するマルチチャンネル再生装置であって、前記信号処理回路は、入力したオーディオデータを複数のチャンネルデータに変換する変換手段と、該変換手段により変換した前記複数のチャンネルデータを各チャンネルデータ毎に圧縮し、圧縮したチャンネルデータにそれぞれチャンネル識別子を付与してマルチチャンネル出力信号を生成する信号処理手段を備えたとの記載がある。
【０００４】
しかしながらこの特許文献１では、スピーカー装置に接続する配線は、音声信号と電源ラインが別になっている。より簡易に相互間を接続することができる技術への要望がある。
【先行技術文献】
【特許文献】
【０００５】
【特許文献１】特開２００４−２３５４９号公報
【発明の概要】
【発明が解決しようとする課題】
【０００６】
本発明の実施の形態は、オーディオデータを複数のスピーカー装置に供給する場合に、より簡易に相互間を接続することができる技術を提供することを目的とする。
【課題を解決するための手段】
【０００７】
上記課題を解決するために、実施形態によればマルチスピーカー制御装置は、音声信号を電力信号に重畳させて重畳信号を発生するインターフェイス部と、この重畳信号を一本のケーブルに乗せてスピーカー装置へ導く音声出力端子とを備える。
【図面の簡単な説明】
【０００８】
【図１】この発明の一実施形態全体を示す構成図。
【図２】同実施形態の各スピーカー装置の実施例を示すブロック構成図。
【図３】同実施形態のインターフェイス回路２０１の実施例を示す図。
【図４】同実施形態のシリアル音声データの実施例を示す図。
【図５】同実施形態に用いられる電源と音声の重畳信号の実施例を示す図。
【図６】同実施形態の電源と音声の重畳信号を分離する回路の実施例を示す図。
【図７】同実施形態に用いられる電源と音声信号の合成する回路の実施例を示す図。
【図８】同実施形態に用いられるシリアルの音声信号をアナログ信号に変換する回路の実施例を示す図。
【図９】同実施形態に係わる光ディスク再生装置の一例を説明するために示すブロック構成図。
【発明を実施するための形態】
【０００９】
以下、一実施形態について図面を参照して詳細に説明する。
【００１０】
先に図９は、この実施の形態で説明する音声再生装置として光ディスク再生装置１１の一例を示している。この光ディスク再生装置１１は、例えばＤＶＤ等の光ディスク１２が着脱可能なディスクドライブ部１３を有している。
【００１１】
このディスクドライブ部１３は、装着された光ディスク１２から、その記録されたデジタル信号を読み取り、ＤＳＰ（digital signal processor）部１４に出力している。このＤＳＰ部１４は、入力されたデジタル信号に所定のデジタル信号処理を施し、映像信号とメイン音声信号とサブ・エフェクト音声信号とを分離する。
【００１２】
そして、ＤＳＰ部１４で分離された映像信号は、映像信号処理部１５に供給されてデコード処理等の所定の映像信号処理が施された後、出力はＨＤＭＩ（high definition multimedia interface）送信部１８に入力され、近年用いられているＨＤＭＩ規格に準拠した映像と音声を重積した信号として、映像・音声出力端子１９からも出力される。
【００１３】
また、上記ＤＳＰ部１４で分離されたサブ・エフェクト音声信号は、サブ・エフェクトデコーダ部１７に供給される。このサブ・エフェクトデコーダ部１７は、入力されたサブ・エフェクト音声信号に所定のデコード処理を施して、サブ（２チャンネル）・エフェクト（２チャンネル）のＰＣＭ（pulse code modulation）信号に変換し、ＨＤＭＩ送信部１８に出力している。
【００１４】
このＨＤＭＩ送信部１８は、ＰＣＭ化されたメイン音声信号に対してＨＤＭＩ規格に準拠した変換処理を施し、映像・音声出力端子１９を介して外部に出力している。すなわち、ＨＤＭＩ送信部１８は、映像・音声出力端子１９を介してサブ（２チャンネル）・エフェクト（２チャンネル）のサブ・エフェクト音声信号をそのままのチャンネル数で外部出力することが可能となっている。
【００１５】
さらに、上記ＤＳＰ部１４で分離されたメイン音声信号は、メインデコーダ部２０に供給される。このメインデコーダ部２０は、入力されたメイン音声信号に所定のデコード処理を施して、最大で２２．２チャンネルのＰＣＭ信号に変換し、ミクサ部２１に出力している。
【００１６】
このミクサ部２１は、それぞれＰＣＭ化された最大で２２．２チャンネルの音声信号と図示せぬ直流または交流の電源電圧を混合して、重畳音声信号を生成し、ＩＦ（interface）部２２に出力している。このＩＦ部２２は、入力された重畳音声信号に対して、外部インターフェイスの規格に準拠した変換処理を施し、音声入出力端子２３を介して外部に出力している。すなわち、ＩＦ部２２は、音声出入力端子２３を介して重畳音声信号を外部出力することが可能となっている。このＩＦ部２２は、音声出入力端子２３を介して重畳音声信号を外部から入力することも可能となっている。
【００１７】
ここで、この光ディスク再生装置１１は、上記した各種の再生動作を含むその全ての動作を制御部２４によって統括的に制御されている。この制御部２４は、ＣＰＵ（Central Processing Unit）等を内蔵しており、操作部２５から、または、リモートコントローラ２６から受光部２７を介して受信した操作情報に基づいて、その操作内容が反映されるように各部をそれぞれ制御している。
【００１８】
この場合、制御部２４は、メモリ部２８を利用している。このメモリ部２８は、主として、そのＣＰＵが実行する制御プログラムを格納したＲＯＭ（read only memory）と、該ＣＰＵに作業エリアを提供するＲＡＭ（random access memory）と、各種の設定情報及び制御情報等が格納される不揮発性メモリとを備えている。
【００１９】
さて図１は本実施形態の全体を示した一実施例である。光ディスク再生装置１１は１０２〜１２３までのスピーカー装置を制御するマルチスピーカー制御装置１０１として機能し、スピーカー装置１０２〜１２３は全てアンプを内蔵したスピーカー装置である。
【００２０】
これらスピーカー装置１０２〜１２３で出力する音の制御は、マルチスピーカー制御装置１０１で行われ、各スピーカー装置を駆動する為の電源と音声データを、縦続的に接続した次のスピーカー装置に伝送することによりマルチスピーカーを構成した事が特徴となっている。
【００２１】
各スピーカー装置は出来るだけ均等に配置されることが望ましく、試聴ポイントは各スピーカーの配置された中央がポイントとなるような音場設定が望ましい。
図２は前記図１の１０２〜１２３の個々のスピーカー装置を含むシステムを説明するための図である。
マルチスピーカー制御装置１０１から入力された電源及びシリアルの音声データから、各スピーカー装置は、インターフェイス回路２０１で電源を取り出し、更にシリアル音声データを復調してこの音声データをアンプ２０２で増幅し、スピーカー２０３を駆動して音を出す構成となっている。
【００２２】
図３は前記図２のインターフェイス回路２０１の一実施例である。
電源／信号分離部３０１で電源とシリアル音声データを分離する。
電源／信号分離部３０１から情報内ＳＰ＿Ｎｏ検出部３０２には、図４の音声データが入力される。
情報内ＳＰ＿Ｎｏ検出部３０２でシリアル音声データに重畳されているスピーカー情報データを抜き出し、その情報から現在のスピーカーＮｏを検出する。
ＳＰ＿Ｎｏ音声信号抽出・デコード検出部３０４では電源／信号分離部３０１で分離したシリアル音声データから情報内ＳＰ＿Ｎｏ検出部３０２で検出したスピーカーＮｏの音声データを抽出しデコードを行う。
【００２３】
情報内ＳＰ＿Ｎｏインクリメント部３０３では、情報内ＳＰ＿Ｎｏ検出部３０２で検出したスピーカーＮｏをインクリメントして、次に縦続接続されるスピーカー装置に送るシリアル音声データを生成する。
【００２４】
電源／信号合成部３０５では電源／信号分離部３０１で分離した電源と、情報内ＳＰ＿Ｎｏインクリメント部３０３でスピーカーＮｏを変更したシリアル音声データとを合成し、次に縦続接続されるスピーカー装置に伝送する信号を作成する。
【００２５】
情報内ＳＰ＿位置情報抜き出し部３０６では、情報内ＳＰ＿Ｎｏ検出部３０２で抜き出したスピーカー情報データから、スピーカーの位置を知るためのスピーカー位置情報を抜き出し、スピーカー位置情報とスピーカーＮｏが等しい場合には、表示装置３０７を光らせることによりスピーカーの位置を知ることができる。
【００２６】
表示装置３０７は試聴者にスピーカーの位置を知らせる為の表示装置である。例としてＬＥＤを使用した表示や、スピーカーＮｏを数値として表示したりすることにより構成できる。
【００２７】
本実施例では、スピーカー装置を２２個設置した例を示しているが、スピーカーの設置は聞くポイントを中心とした配置にする必要があり、２２個のスピーカー装置は出来るだけ均等に配置することが望ましい。
【００２８】
音場の設定に関しては、試聴者の正面センターに配置されるスピーカー装置が、どのスピーカー装置であるのかのスピーカー制御装置１０１が判定できないと音場の設定ができない。
【００２９】
そのため、正面センターとなっているスピーカー装置の場所を知るための手段として、表示装置３０７を用いる。スピーカー制御装置１０１から各スピーカーの位置情報を順番に送り、各スピーカー装置の表示装置３０７に情報を表示させる。例えば１０番というスピーカー位置情報を送れば、１０番目のスピーカー装置１１１の表示が変化する。このようにすることにより、正面センターとなるスピーカー装置のスピーカーＮｏが何番であるかを知ることが可能となる。
【００３０】
図４はシリアル音声データの一実施例である。
シリアル音声データは、スピーカーに関する情報データと複数のスピーカーから出力させる音声データを１組の塊として構成する。この情報データには、スピーカーＮｏデータとスピーカー位置情報検出データが付加されている。
【００３１】
図１のマルチスピーカー制御装置１０１から出力される時のスピーカーＮｏデータは１となっており、スピーカー装置を通過するごとにインクリメントされていく。
そして全てのスピーカー装置を通過してマルチスピーカー制御装置１０１に戻ってきた信号のスピーカーＮｏデータは、スピーカー装置の数＋１の値になっている。
なお、スピーカーに関する情報データはシリアル音声データの最初もしくは最後に位置させることが望ましい。何故なら、スピーカー情報データと一緒にシリアル音声データのブロックを区分けする情報も加えることで、シリアル音声データの取り出しの目安となるためである。本実施例では最初に配置している。
【００３２】
２２のシリアル音声データを圧縮する場合、簡単には元のアナログデータに対して、２２倍以上に周波数を上げてデジタルデータに変換しておけばよい。
図５はスピーカー装置間を伝送する電源とシリアル音声データを重畳した信号の一実施例である。
この実施例では電源はＤＣ電源であるが、ＡＣ電源であっても同様な効果が得られる。
図６は図３の電源／信号分離部３０１の一実施例である。
ＬＰＦ（ローパスフィルタ）６０１で低周波域の信号であるスピーカー駆動用電源を分離し、高周波域の信号であるシリアル音声信号はＨＰＦ（ハイパスフィルタ）６０２で分離する。
【００３３】
図７は図３の電源／信号合成部３０５の一実施例である。
７０１は元となる電源から再度電源を作り直すＤＣ−ＤＣ変換回路、７０３はシリアル音声信号を電源信号に重畳するためのコンデンサＣ、７０２はＤＣ−ＤＣ変換回路７０１とコンデンサＣ７０３の間で高周波を切り離すためのインダクタンスＬである。
【００３４】
図８は、図３のＳＰ＿Ｎｏ音声信号抽出・デコード検出部３０４の一実施例である。
８０１はスピーカーＮｏにあたるシリアル音声データを抜き出し、パラレルのデータに変換するシリアルパラレル回路、８０２はシリアルパラレル回路８０１でパラレルに変換した音声データを実際の時間軸に伸長し、位相を調整する時間軸伸長＆位相調整回路、８０３は時間軸伸長＆位相調整回路８０２で実時間に変換されたパラレル音声データをアナログ音声に変換するＤ／Ａ変換回路である。
【００３５】
実施例の変形例としては、次のようなものがある。
図１の一実施例では、スピーカー装置１２３からマルチスピーカー制御装置１０１に配線が繋がっているが、接続するスピーカーの数が例えばシステムの製造時などに決定されている場合には、必ずしもリング状に接続しなくてもよい。
【００３６】
各スピーカー装置に供給する電源（給電電圧、電力信号）は、実施例ではＤＣ電源となっているが、ＡＣ電源でも同様なことが実現出来る。その場合には図７のＤＣ−ＤＣ変換回路７０１は省略することが出来る。また、ＤＣ電源で実現する場合でも、電源のノイズによるＳＮ比を考慮しなくてよい状態に構成できれば、ＤＣ−ＤＣ変換回路は省略しても良い。
【００３７】
以上のように、スピーカーを縦続接続することで、複数のスピーカーへの配線が簡単になり、配線の量を大幅に減らすことができる。また、同じスピーカー装置を縦続して接続していくので、誤配線をすることがない。また、スピーカー装置の数の制約は低く、かなり自由度の高い設定が可能になった。また、正面センターのスピーカーの番号を容易に知る事ができるので、スピーカーの配置位置を厳密にする必要がない。
【００３８】
本実施形態では音声信号と電源ラインを重畳して１つの信号ラインで送るシステムとなっている。本実施形態では、スピーカー装置の接続がループ状になっており、接続したスピーカー装置の数を自動的に検出する事が可能となっている。
【００３９】
即ち先行技術と比べスピーカー装置どうしを接続する配線が例えば同軸１本で済むので、よりシンプルな配線が出来る。またループ配線にすることで設置するスピーカー装置の数を自動で検出できるので、音場の音質設定の際にスピーカー装置の数をいちいち気にする必要がない。特に数十以上ある様な多くのスピーカー装置を配線する場合には特に有効である。
【００４０】
スーパーハイビジョンなど向けに多チャンネルのマルチスピーカー開発が行われている。が、一般家庭でこの機能を実現するためには、現行ではアンプから各スピーカーへの配線は相当大きなものになると想定され、対して上記はマルチスピーカーシステムの制御及び接続が容易に出来る方式となる。
【００４１】
（実施形態のまとめと補足）
次のようなマルチスピーカーシステムについて説明した。
（１）複数のスピーカーを用いたマルチスピーカーシステム装置において、スピーカーと音声信号を増幅するアンプとシリアルで伝送されてくる音声信号を復調する手段を有するスピーカー装置を一つのスピーカー装置として捉え、このスピーカー装置を縦続的に複数接続した事を特徴とするマルチスピーカーシステム
【００４２】
（２）上記（１）のマルチスピーカーシステム装置において、縦続的に接続された複数のスピーカー装置が、それぞれ何番目に接続されたか順番が判るように、音声信号のシリアルデータの中にスピーカー装置の番号を挿入し、それぞれのスピーカー装置がその番号に当たる音声信号のみを復調する手段を有するマルチスピーカーシステム
【００４３】
（３）上記（２）のマルチスピーカーシステム装置において、次に縦続接続されるスピーカー装置の番号を前のスピーカー装置内で設定して次のスピーカー装置に伝送する手段を有するマルチスピーカーシステム装置
【００４４】
（４）上記（１）のマルチスピーカーシステムにおいて、複数のスピーカー装置を駆動するための電源にシリアルの音声信号が重畳された信号を分離する手段と重畳させる手段を各スピーカー装置内に有するマルチスピーカーシステム
【００４５】
（５）上記（１）のマルチスピーカーシステムにおいて、マルチスピーカー全体を制御する装置から順番に縦続接続したスピーカー装置を介し、最終的にはマルチスピーカー全体を制御する装置に戻って来るようなリング状の接続を特徴とするマルチスピーカーシステム
【００４６】
（６）上記（５）のマルチスピーカーシステムにおいて、リング状に縦続接続したスピーカー装置の数を、マルチスピーカー全体を制御する装置が検出できる事を特徴とするマルチスピーカーシステム（例えば、制御部２４がメモリ部２８を用いながら、ＩＦ部２２から音声入出力端子２３を介して得た情報による。なお音声出力と音声入力とは別の端子が介するような構造としてもよい）
【００４７】
（７）上記（６）のマルチスピーカーシステムにおいて、マルチスピーカー全体を制御する装置が検出したスピーカー装置の数に合わせて、音響の設定を変化させられる事を特徴とするマルチスピーカーシステム
【００４８】
（８）上記（５）のマルチスピーカーシステムにおいて、複数のスピーカー装置の順番が判別可能な手段をスピーカー装置内に有するマルチスピーカーシステム
（９）上記（８）のスピーカー装置の順番を判別する手段として、スピーカー装置の番号を指定すると、その番号のスピーカー装置の表示装置が変化する手段を持ったマルチスピーカーシステム
【００４９】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００５０】
１１…光ディスク再生装置、１２…光ディスク、１３…ディスクドライブ部、１４…ＤＳＰ部、１５…映像信号処理部、１７…サブ・エフェクトデコーダ部、１８…ＨＤＭＩ送信部、１９…映像・音声出力端子、２０…メインデコーダ部、２１…ミクサ部、２２…ＩＦ部、２３…音声入出力端子、２４…制御部、２５…操作部、２６…リモートコントローラ、２７…受光部、２８…メモリ部、１０１…マルチスピーカー制御装置、１０２〜１２３…スピーカー装置、２０１…インターフェイス回路、２０２…アンプ、２０３…スピーカー、３０１…電源／信号分離部、３０２…情報内ＳＰ＿Ｎｏ検出部、３０３…情報内ＳＰ＿Ｎｏインクリメント部、３０４…ＳＰ＿Ｎｏ音声信号抽出・デコード検出部、３０５…電源／信号合成部、３０６…情報内ＳＰ＿位置情報抜き出し部、３０７…表示装置、６０１…ＬＰＦ（ローパスフィルタ）、６０２…ＨＰＦ（ハイパスフィルタ）、７０１…ＤＣ−ＤＣ変換回路、７０２…インダクタンスＬ、７０３…コンデンサ、８０１…シリアルパラレル回路、８０２…時間軸伸長＆位相調整回路、８０３…Ｄ／Ａ変換回路。
【図１】
2014082721.tif 000003
【図２】
2014082721.tif 000004
【図３】
2014082721.tif 000005
【図４】
2014082721.tif 000006
【図５】
2014082721.tif 000007
【図６】
2014082721.tif 000008
【図７】
2014082721.tif 000009
【図８】
2014082721.tif 000010
【図９】
2014082721.tif 000011